(57)【要約】薬品トレイを上下方向に配置可能な複数の収納領域を備えた薬品トレイ搬送用カートである。各収納領域は、所定間隔で配置した仕切部材の対向面にそれぞれ形成した支持部で薬品トレイを支持可能な構成を備える。仕切部材は、収納領域に収納した薬品トレイをロックするロック機構を備える。対向する仕切部材の少なくともいずれか一方に、最上段の収納領域に収納される薬品トレイの上方開口部を閉鎖可能な閉鎖位置と、仕切部材に沿って下方に延びる待機位置との間で回動可能な蓋部材を設ける。【選択図】図１
2010104060.tif 000002
【特許請求の範囲】
【請求項１】
移動可能な支持台上に、薬品トレイを上下方向に配置可能な複数の収納領域を備えた薬品トレイ搬送用カートであって、
前記各収納領域は、支持台上に所定間隔で配置した仕切部材の対向面にそれぞれ形成した支持部で薬品トレイを支持可能な構成とし、
前記薬品トレイを全て取り外した状態で、複数の薬品トレイ搬送用カートを並設した場合、前記仕切部材を、少なくとも隣接する薬品トレイ搬送用カートの支持台とは干渉しない位置に形成することにより、各薬品トレイ搬送用カートを重ね合わせて配列可能とし、
前記仕切部材は、収納領域に収納した薬品トレイをロックするロック機構を備え、
対向する仕切部材の少なくともいずれか一方に、最上段の収納領域に収納される薬品トレイの上方開口部を閉鎖可能な閉鎖位置と、複数の薬品トレイ搬送用カートを並設した場合、仕切部材と干渉しない位置に開放する待機位置との間で移動可能な蓋部材を設けたことを特徴とする薬品トレイ搬送用カート。
【請求項２】
前記蓋部材は、最上段の収納領域に収納される薬品トレイの上方開口部を閉鎖可能な閉鎖位置と、仕切部材に沿って下方に延びる待機位置との間で回動可能な構成であることを特徴とする請求項１に記載の薬品トレイ搬送用カート。
【請求項３】
前記蓋部材は、一端側を仕切部材の一方に回動可能に設けられ、他端側に係止部を備え、
前記仕切部材の残る他方は、蓋部材が閉鎖位置に位置することにより、係止部が係脱可能な係止受部を備え、
前記蓋部材を閉鎖位置に位置させた状態で、最上段の収納領域に薬品トレイを収納することにより、係止部と係止受部の係止状態を解除不能としたことを特徴とする請求項２に記載の薬品トレイ搬送用カート。
【請求項４】
前記仕切部材は、待機位置に回動した蓋部材を位置決めする位置決め手段を備えたことを特徴とする請求項２又は３に記載の薬品トレイ搬送用カート。
【請求項５】
前記仕切部材は、同一直線上に位置する開口部を備え、
前記蓋部材は、前記開口部を、閉鎖位置で開口し、待機位置で閉鎖する開閉部を備え、
前記各仕切部材の開口部を介して信号を送受信させることにより、蓋部材の回動位置を検出する検出手段を、さらに備えたことを特徴とする請求項１から４のいずれか１項に記載の薬品トレイ搬送用カート。
【請求項６】
移動可能な支持台と、支持台上で、水平方向に所定間隔で配置される仕切部材と、を備えた薬品トレイ搬送用カートであって、
複数台の薬品トレイ搬送用カートを、各薬品トレイ搬送用カートの仕切部材が重なり合うように配置した際、ガイド部以外の部位が互いに接触することを防止するガイド部を備えたことを特徴とする請求項１から５のいずれか１項に記載の薬品トレイ搬送用カート。
【請求項７】
前記仕切部材は、支持台上に３つ以上並設され、
前記ガイド部は、支持台上の両端側を除く、内側に配置される仕切部材の両側に形成したことを特徴とする請求項６に記載の薬品トレイ搬送用カート。
【請求項８】
前記仕切部材は、支持台上に３つ以上並設され、
前記ガイド部は、支持台上の両端側を除く、内側に配置される仕切部材の同一方向の片側のみに形成したことを特徴とする請求項６に記載の薬品トレイ搬送用カート。
【発明の詳細な説明】
【技術分野】
【０００１】
本発明は、薬品が収容される複数の薬品トレイをまとめて搬送することのできる薬品トレイ搬送用カートに関するものである。
【背景技術】
【０００２】
従来、薬品トレイ搬送用カートとして、４枚の支持パネルを所定間隔で立設し、上端中央部と下端中央部から突出させた脚部とをそれぞれ上連結部と下連結部とによって連結一体化してなる構成のものが公知である（例えば、特許文献１参照）。  【０００３】
しかしながら、前記従来の薬品トレイ搬送用カートでは、薬品トレイに収容した薬品を自由に取り出すことができるため、安全面で問題があり、その対策が求められていた。但し、薬品を搬送するためだけに利用されるカートであり、安価に製作することも要求されていた。
【先行技術文献】
【特許文献】
【０００４】
【特許文献１】国際公開２００５／１０５６１９号公報
【発明の概要】
【発明が解決しようとする課題】
【０００５】
そこで、本発明は、盗難防止性に優れ、かつ、安価に製作することのできる薬品トレイ搬送用カートを提供することを課題とする。
【課題を解決するための手段】
【０００６】
本発明は、前記課題を解決するための手段として、移動可能な支持台上に、薬品トレイを上下方向に配置可能な複数の収納領域を備えた薬品トレイ搬送用カートであって、前記各収納領域は、支持台上に所定間隔で配置した仕切部材の対向面にそれぞれ形成した支持部で薬品トレイを支持可能な構成とし、前記薬品トレイを全て取り外した状態で、複数の薬品トレイ搬送用カートを並設した場合、前記仕切部材を、少なくとも隣接する薬品トレイ搬送用カートの支持台とは干渉しない位置に形成することにより、各薬品トレイ搬送用カートを重ね合わせて配列可能とし、前記仕切部材は、収納領域に収納した薬品トレイをロックするロック機構を備え、対向する仕切部材の少なくともいずれか一方に、最上段の収納領域に収納される薬品トレイの上方開口部を閉鎖可能な閉鎖位置と、複数の薬品トレイ搬送用カートを並設した場合、仕切部材と干渉しない位置に開放する待機位置との間で移動可能な蓋部材を設けたものである。  【０００７】
この構成により、蓋部材を閉鎖位置に移動させた状態で、最上段から下方側の各段に薬品トレイを収納し、ロック機構により収納した各薬品トレイをロックすればよい。最上段に位置する薬品トレイは、閉鎖位置に位置する蓋部材によって上方開口部を閉鎖される。また、最上段よりも下方側に位置する薬品トレイは、その１つ上に位置する薬品トレイによって上方開口部を閉鎖される。これにより、薬品トレイ内に収容した薬品の盗難を防止することができる。また、蓋部材を、仕切部材に沿って下方に延びる待機位置に回動可能であるので、複数台の薬品トレイ搬送用カートを重ね合わせて配置する際に邪魔になることもない。そして、蓋部材を待機位置に回動させた状態では、薬品トレイを収納しようとしても、蓋部材によって阻止されるので、蓋部材が閉鎖位置にセットされていないことが分かる。また、蓋部材とロック機構を設けただけの構成であるので安価に製作することができる。  【０００８】
前記蓋部材は、最上段の収納領域に収納される薬品トレイの上方開口部を閉鎖可能な閉鎖位置と、仕切部材に沿って下方に延びる待機位置との間で回動可能な構成であればよい。  【０００９】
前記蓋部材は、一端側を仕切部材の一方に回動可能に設けられ、他端側に係止部を備え、前記仕切部材の残る他方は、蓋部材が閉鎖位置に位置することにより、係止部が係脱可能な係止受部を備え、前記蓋部材を閉鎖位置に位置させた状態で、最上段の収納領域に薬品トレイを収納することにより、係止部と係止受部の係止状態を解除不能とするのが好ましい。  【００１０】
この構成により、係止部と係止受部とを係止状態とした後、最上段の収納領域に薬品トレイを収納すれば、係止位置が薬品トレイの内側に位置することになる。これにより、薬品トレイを取り出すことなく、係止状態を解除することを防止することが可能となる。  【００１１】
前記仕切部材は、待機位置に回動した蓋部材を位置決めする位置決め手段を備えるのが好ましい。  【００１２】
この構成により、薬品トレイ搬送用カートを移動させたとしても、蓋部材は揺動やがたつきを発生させることがなく、安定した位置を維持する。  【００１３】
前記仕切部材は、同一直線上に位置する開口部を備え、前記蓋部材は、前記開口部を、閉鎖位置で開口し、待機位置で閉鎖する開閉部を備え、前記各仕切部材の開口部を介して信号を送受信させることにより、蓋部材の回動位置を検出する検出手段を、さらに備えるのが好ましい。  【００１４】
この構成により、蓋部材が閉鎖位置に位置しているか否かを検出することができる。したがって、薬品トレイを収納領域に収納し忘れることを防止することが可能となる。また、蓋部材が待機位置に回動している状態であれば、収納領域に薬品トレイを収納することも不可能である。  【００１５】
移動可能な支持台と、支持台上で、水平方向に所定間隔で配置される仕切部材と、を備えた薬品トレイ搬送用カートであって、複数台の薬品トレイ搬送用カートを、各薬品トレイ搬送用カートの仕切部材が重なり合うように配置した際、ガイド部以外の部位が互いに接触することを防止するガイド部を備えるのが好ましい。  【００１６】
この構成により、薬品トレイ搬送用カートを多少乱雑に扱ったとしても損傷することがなく、長期に亘って良好な状態で使用することが可能となる。  【００１７】
前記仕切部材は、支持台上に３つ以上並設され、前記ガイド部は、支持台上の両端側を除く、内側に配置される仕切部材の両側に形成してもよいし、同一方向の片側のみに形成してもよい。
【発明の効果】
【００１８】
本発明によれば、蓋部材を設けただけの簡単かつ安価な構成であるにも拘わらず、薬品トレイ内の薬品の盗難を効果的に防止することができる。また、蓋部材を回動させるだけの構成であるので、使い勝手が良い。
【図面の簡単な説明】
【００１９】
【図１】本実施形態に係る薬品トレイ搬送用カートの斜視図である。
【図２】図１を異なる角度で見た状態を示す斜視図である。
【図３】図１の主に支持部を示す部分拡大図である。
【図４】図１の主に蓋部材を示す部分拡大図である。
【図５】図４の蓋部材の回動支持構造を示す部分拡大図である。
【図６】図１の操作レバーによるロック構造を示す斜視図である。
【図７】図１から蓋部材を開放位置に回動した状態を示す斜視図である。
【図８】図１の薬品トレイ搬送用カートを２つ重ね合わせて配置した状態を示す斜視図である。
【図９】他の実施形態に係る薬品トレイ搬送用カートの斜視図である。
【図１０】他の実施形態に係る薬品トレイ搬送用カートを上方側から見た状態を示す斜視図である。
【図１１】図１０に示す薬品トレイ搬送用カートを２台重ねた状態を示す平面図である。
【発明を実施するための形態】
【００２０】
以下、本発明に係る実施形態を添付図面に従って説明する。なお、以下の説明では、必要に応じて特定の方向や位置を示す用語（例えば、「上」、「下」、「側」、「端」を含む用語）を用いるが、それらの用語の使用は図面を参照した発明の理解を容易にするためであって、それらの用語の意味によって本発明の技術的範囲が限定されるものではない。また、以下の説明は、本質的に例示に過ぎず、本発明、その適用物或いはその用途を制限することを意図するものではない。  
【００２１】
図１は、本実施形態に係る薬品トレイ搬送用カート１を示す。この薬品トレイ搬送用カート１は、支持台２上に、水平方向に向かって所定間隔で複数の仕切部材３を配設したものである。  
【００２２】
支持台２は、下方側センタービーム４と、その両端下部から直交する方向に延びる支持ビーム５とを備える。支持ビーム５の両端部下方にはキャスター６がそれぞれ設けられている。  
【００２３】
仕切部材３は、矩形枠体形状をしたフレーム部７と、このフレーム部７の両側部を構成する縦ビーム８の間に固定されて、上下方向に所定間隔で配置される水平バー９とを備える。  
【００２４】
各フレーム部７は、下端部を構成する下方側水平ビーム１０の下面中央部が、支持台２の下方側センタービーム４に、上下に延びる連結バー１１を介して連結・支持されている。また、各フレーム部７は、上端部を構成する上方側水平ビーム１２の上面中央部が、上方側センタービーム１３によって互いに連結されている。上方側センタービーム１３の両端側の両側の都合４箇所にはそれぞれゴム製のパッド１４が設けられている。これらパッド１４は、後述するように、複数台の薬品トレイ搬送用カート１を重ね合わせて配置した際の上方側センタービーム１３同士の衝突を回避する。  
【００２５】
薬品トレイ搬送用カート１の両端部にそれぞれ位置するフレーム部７の縦ビーム８には、把手１５がそれぞれ一体化されている。各把手１５は、把持する中央部分の直線部１６と、その両側部で突出する湾曲部１７とを備える。直線部１６の寸法は、丁度、手で握るのに適切な（必要以上に長くない）値に設定されている。直線部１６に対する湾曲部１７の突出寸法は、直線部１６を手で握った際に、手（主に甲の部分）が湾曲部１７の最も突出した部分からでないか、あるいは、殆ど出ない値に設定されている。これにより、薬品トレイ搬送用カート１を、把手１５を把持して搬送しているときに、手が把手１５と他の部材（壁等）との間に挟まれることが防止される。  
【００２６】
水平バー９は、図３に示すように、合成樹脂材料を成形加工することにより得られるもので、各仕切部材３の対向面側に、水平方向に延びる溝部１８を備える。溝部１８を構成する上方壁１９は、両端部に切欠部２０を有する。下方壁２１は両端壁２２を有し、そこから内側には、他の部分よりも一段下がった凹所２３が形成されている。上方壁１９及び下方壁２１は、所定間隔で設けた複数のリブ２４によってそれぞれ補強されている。水平バー９は、隣接する仕切部材３の対向面の上下方向の対応する位置にそれぞれ配置されている。対向する一対の水平バー９により１つの薬品トレイ（図示せず）を支持する支持部２５が構成されている。支持部２５によって支持された薬品トレイの占有する領域が収納領域２６（図１参照）である。なお、薬品トレイは、底面と４側面で構成された、上面が開口する箱状で、開口縁部には鍔部が形成され、鍔部が支持部２５によって支持される。  
【００２７】
対向する仕切部材３のうち、一方の上方側水平ビーム１２には、図４に示すように、蓋部材２７が回動可能に取り付けられている。すなわち、上方側水平ビーム１２の両端部には、図５に示すように、略Ｌ字形に折り曲げられた支持プレート２８の垂直部２８ａがネジ止めされている。支持プレート２８の水平部２８ｂには、ボルト及びナットにより蝶番２９の一方のプレート２９ａが取り付けられている。蝶番２９の他方のプレート２９ｂは蓋部材２７にネジ止めされている。これにより、蓋部材２７は、蝶番２９を中心として、水平位置（閉鎖位置：図１）と、垂直位置（待機位置：図７）との間で回動可能となっている。また、上方側水平ビーム１２の中央部には磁性板３０が設けられ、蓋部材２７には、磁性板３０に対応する部分に、位置決め手段である永久磁石３１が取り付けられている。これにより、蓋部材２７が待機位置へと回動すると、永久磁石３１が磁性板３０を吸引し、蓋部材２７は垂直位置に位置決めされる。したがって、垂直位置での蓋部材２７の揺動やがたつきが防止される。  
【００２８】
また、蓋部材２７の回転中心側の角部には、図２に示すように、遮蔽部３２が延設されている。遮蔽部３２は、蓋部材２７が待機位置に回動することにより、水平位置から上方へと突出する。そして、遮蔽部３２が上方に突出すると、並設した仕切部材３の上方角部の開口部によって形成される、薬品トレイ搬送用カート１の両端部を結ぶ光路、すなわち、後述する蓋検出センサによる発光素子から受光素子に向かう光路内に位置し、光が遮断されるようになっている。  
【００２９】
蓋部材２７の自由端中央部には、図４に示すように、係止部３３が設けられている。係止部３３は、詳細については図示しないが、支持体に、操作部と、支持体に対して出没可能な突出部とを設けた構成である。支持体は、蓋部材２７の上面に取り付けられている。操作部は、蓋部材２７の下面に配置されている。突出部は、支持体に取り付けられ、スプリングによって付勢されることにより、支持体から押込可能に突出している。突出部の先端部分は、先端に向かうに従って徐々に下方側へと湾曲している。これにより、蓋部材２７を水平方向の閉鎖位置に回動させると、突出部がスムーズに後述する係止受部３４に係止される。また、操作部を回動操作すれば、突出部を支持体内に没入させて、係止受部３４との係止状態が解除される。但し、操作部材は、前述の通り、蓋部材２７の下面に配置されているので、その下方すなわち最上段の収納領域２６に薬品トレイを収納した状態では、操作不能となる。  
【００３０】
対向する仕切部材３の他方の上方側水平ビーム１２には、蓋部材２７に設けた係止部３３が係脱される係止受部３４と、蓋部材２７が水平位置を超えて上方へと回動することを阻止する回動阻止片３５が設けられている。  
【００３１】
内側２箇所に位置する仕切部材３の上方側水平ビーム１２には、図２に示すように、ガイド部３６がそれぞれ設けられている。ガイド部３６は、上方側水平ビーム１２に沿って、その両側を一端部から他端部に向かって延びる板状のものである。上方側水平ビーム１２の両端側ではガイド部３６は円弧状に形成されている。上方側水平ビーム１２からのガイド部３６の突出寸法は、水平バー９や、垂直位置に回動した蓋部材２７の最大突出寸法よりも若干大きな値に設定されている。これにより、後述するように、薬品トレイ搬送用カート１を重ねて配置する際に、互いに干渉して、水平バー９や蓋部材２７が損傷することを防止することが可能となっている。  
【００３２】
上方側センタービーム１３の端部には、ロック位置とアンロック位置との間で回動操作可能な操作レバー３７が設けられている。操作レバー３７には、図６に示すように、上方側センタービーム１３内に設けた第１ロッド３８に連結されている（但し、図６では、上方側センタービーム１３は図示していない。）。第１ロッド３８には、軸方向に所定間隔で回動片３９が設けられている。各回動片３９には、各フレーム部７の中央部を下方へと延びる第２ロッド４０が連結されている。第２ロッド４０の途中には、各水平バー９の溝部１８に載置された薬品トレイの鍔部を水平バー９の下方壁２１に押し付ける押圧片４１が設けられている。これにより、操作レバー３７をロック位置に回動操作すると、第１ロッド３８、回動片３９、及び、第２ロッド４０を介して押圧片４１が降下し、薬品トレイの鍔部を水平バー９の下方壁２１に押し付けることによりロック状態となる。なお、操作レバー３７は、ロック位置に回動させた状態でキー操作により回動不能となる。  
【００３３】
次に、前記構成からなる薬品トレイ搬送用カート１の動作について説明する。  
【００３４】
薬品トレイ搬送用カート１の各支持部２５に薬品トレイを収納する場合、蓋部材２７を水平位置に回動させる。蓋部材２７は、係止部３３が上方側水平ビーム１２に設けた係止受部３４に係止することにより下方側への回動が阻止される。このとき、蓋部材２７は、回動阻止片３５によってそれ以上の上方側への回動も阻止される。これにより、蓋部材２７は水平位置に位置決めされる。この状態で、各収納領域２６に薬品トレイを収納する。  
【００３５】
薬品トレイが全ての収納領域２６に収納された状態では、下方側に位置する薬品トレイは、その直ぐ上方に位置する薬品トレイによって上方開口部を閉鎖された状態となる。したがって、内部に収容した薬品を勝手に取り出すことはできない。また、最上部に位置する薬品トレイは、蓋部材２７によって上方開口部を閉鎖された状態となる。この状態では、蓋部材２７に設けた係止部３３は、下面側からしか操作できない構造になっている。つまり、係止部３３は、最上部に位置する薬品トレイの内部に位置し、操作不能である。したがって、最上部に位置する薬品トレイからも収容した薬品を取り出すことはできない。  
【００３６】
ここで、操作レバー３７を操作して、各収納領域２６に収納した各薬品トレイをロックする。これにより、全ての薬品トレイが薬品トレイ搬送用カート１から取出不能となる。そして、前述のように、各薬品トレイから薬品を取り出すことも不能となる。  
【００３７】
続いて、前記薬品トレイ搬送用カート１を薬品供給システム（例えば、国際公開２００５／１０５６１９号公報参照）に採用する場合について説明する。  
【００３８】
薬品トレイ搬送用カート１は図示しないトレイ供給部にセットされる。トレイ供給部には、発光素子と受光素子とからなる蓋検出センサ（図示せず）が設けられている。発光素子から出力された光は、セットされた薬品トレイ搬送用カート１の連通路を通過して受光素子に受光される。したがって、複数設けた蓋部材２７のうち、いずれか１つでも垂直位置に位置すれば、発光素子から出力される光が遮蔽板３２に遮られて受光素子で受光できない。この場合、薬品トレイを収納できない領域が存在することになる。そこで、エラー報知し、薬品トレイの供給処理を中止する。  
【００３９】
このように、前記薬品トレイ搬送用カート１によれば、トレイ供給部にセットしても、蓋部材２７が全て閉鎖位置に位置決めされていなければ、自動的にそのことが検出されてエラー報知される。しかも、発光素子と受光素子からなる簡単な構成のセンサを使用し、蓋部材２７の一部を延設しただけの遮蔽部３２によって蓋部材２７の回動位置を検出することができる。このため、非常に簡単かつ安価な構成で対応することが可能である。  
【００４０】
ところで、薬品トレイ搬送用カート１を使用しない場合、図８に示すように、複数台を重ねて保管しておくことができる。すなわち、ある薬品トレイ搬送用カート１の各仕切部材３の間に、他の薬品トレイ搬送用カート１の各仕切部材３を位置させる。このとき、前者の支持台２の支持ビーム５が後者の下方側センタービーム４の下方へと侵入する。この重ねる動作では、薬品トレイ搬送用カート１の各部位が互いに衝突することは避けられない。特に、水平バー９は樹脂材料で構成されているため、衝突により損傷する恐れがある。また、蓋部材２７は回動可能な構成となっているため、やはり衝突により変形したりする恐れがある。しかしながら、前記薬品トレイ搬送用カート１では、各フレーム部７の上端部にガイド部３６が設けられており、互いに衝突するのは、主に、このガイド部３６となる。したがって、水平バー９や蓋部材２７等が損傷することはない。  
【００４１】
なお、本発明は、前記実施形態に記載された構成に限定されるものではなく、種々の変更が可能である。  
【００４２】
例えば、図９に示すように、上方側センタービーム１３にスクリーン装置４２を設けるようにしてもよい。スクリーン装置４６は、詳細は図示しないが、ロールに遮蔽シートを引出可能に巻回したものである。遮蔽シートの引出端には樹脂製の棒状体が一体化され、そこには永久磁石３１が設けられている。永久磁石３１は、遮蔽シートを引き出した状態で、フレーム部７の縦ビーム８に吸着可能となっている。そして、遮蔽シートの引出状態を維持し、各収納領域２６に収納した薬品トレイの全体を覆うことが可能となっている。これにより、薬品トレイの端面に取り付けた識別カードが第三者に見られる心配がない。  
【００４３】
ガイド部３６は、上方側水平ビーム１２の両側に設けるようにしたが、他の場所に設けるようにしてもよい。例えば、ガイド部３６は、各フレーム部７の上下方向のいずれの位置に設けることも可能である。但し、ガイド部３６を設ける位置には収納領域２６を形成することはできない。  
【００４４】
蓋部材２７は、各段に１つずつ設けるようにしたが、対向する仕切部材３のそれぞれに設けることも可能である。但し、各蓋部材２７を水平位置に回動させた状態で、自由端部同士を連結するための機構が必要となる。  
【００４５】
また、蓋部材２７は、回動式に限らず、例えば、多段スライド式として、最上段に収納した薬品トレイの上方開口部を閉鎖する閉鎖位置と、仕切部材３の上方側水平ビーム１２内の待機位置との間で伸縮する構成としてもよい。要するに、蓋部材２７は、閉鎖位置で最上段に収納した薬品トレイの上方開口部を閉鎖し、待機位置で、複数台の薬品トレイ搬送用カート１を重ね合わせたとしても邪魔にならなければ、どのような構成であっても採用することが可能である。
【符号の説明】
【００４６】
１…薬品トレイ搬送用カート
２…支持台
３…仕切部材
４…下方側センタービーム
５…支持ビーム
６…キャスター
７…フレーム部
８…縦ビーム
９…水平バー
１０…下方側水平ビーム
１１…連結バー
１２…上方側水平ビーム
１３…上方側センタービーム
１４…パッド
１５…把手
１６…直線部
１７…湾曲部
１８…溝部
１９…上方壁
２０…切欠部
２１…下方壁
２２…両端壁
２３…凹所
２４…リブ
２５…薬品トレイ
２６…支持部
２７…蓋部材
２８…支持プレート
２９…蝶番
３０…磁性板
３１…永久磁石
３２…遮蔽部
３３…係止部
３４…係止受部
３５…回動阻止片
３６…ガイド部
３７…操作レバー
３８…第１ロッド
３９…回動片
４０…第２ロッド
４１…押圧片
４２…スクリーン装置
【図１０】
2010104060.tif 000003
【図１１】
2010104060.tif 000004
【図１】
2010104060.tif 000005
【図２】
2010104060.tif 000006
【図３】
2010104060.tif 000007
【図４】
2010104060.tif 000008
【図５】
2010104060.tif 000009
【図６】
2010104060.tif 000010
【図７】
2010104060.tif 000011
【図８】
2010104060.tif 000012
【図９】
2010104060.tif 000013
【手続補正書】
【提出日】平成22年6月24日(2010.6.24)
【手続補正１】
【補正対象書類名】特許請求の範囲
【補正対象項目名】全文
【補正方法】変更
【補正の内容】
【特許請求の範囲】
【請求項１】
移動可能な支持台上に、薬品トレイを上下方向に配置可能な複数の収納領域を備えた薬品トレイ搬送用カートであって、
前記各収納領域は、支持台上に所定間隔で配置した仕切部材の対向面にそれぞれ形成した支持部で薬品トレイを支持可能な構成とし、
前記薬品トレイを全て取り外した状態で、複数の薬品トレイ搬送用カートを並設した場合、前記仕切部材を、少なくとも隣接する薬品トレイ搬送用カートの支持台とは干渉しない位置に形成することにより、各薬品トレイ搬送用カートを重ね合わせて配列可能とし、
前記仕切部材は、収納領域に収納した薬品トレイをロックするロック機構を備え、
対向する仕切部材の少なくともいずれか一方に、最上段の収納領域に収納される薬品トレイの上方開口部を閉鎖可能な閉鎖位置と、複数の薬品トレイ搬送用カートを並設した場合、仕切部材と干渉しない位置に開放する待機位置との間で移動可能な蓋部材を設け、
前記蓋部材は、一端側を仕切部材の一方に回動可能に設けられ、他端側に係止部を備え、
前記仕切部材の残る他方は、蓋部材が閉鎖位置に位置することにより、係止部が係脱可能な係止受部を備え、
前記蓋部材を閉鎖位置に位置させた状態で、最上段の収納領域に薬品トレイを収納することにより、係止部と係止受部の係止状態を解除不能としたことを特徴とする薬品トレイ搬送用カート。
【請求項２】
前記待機位置は、前記蓋部材が仕切部材に沿って下方に延びる位置であることを特徴とする請求項１に記載の薬品トレイ搬送用カート。
【請求項３】
前記仕切部材は、待機位置に回動した蓋部材を位置決めする位置決め手段を備えたことを特徴とする請求項１又は２に記載の薬品トレイ搬送用カート。
【請求項４】
前記仕切部材は、同一直線上に位置する開口部を備え、
前記蓋部材は、前記開口部を、閉鎖位置で開口し、待機位置で閉鎖する開閉部を備え、
前記各仕切部材の開口部を介して信号を送受信させることにより、蓋部材の回動位置を検出する検出手段を、さらに備えたことを特徴とする請求項１から３のいずれか１項に記載の薬品トレイ搬送用カート。
【請求項５】
複数台の薬品トレイ搬送用カートを、各薬品トレイ搬送用カートの仕切部材が重なり合うように配置した際、ガイド部以外の部位が互いに接触することを防止するガイド部を備えたことを特徴とする請求項１から４のいずれか１項に記載の薬品トレイ搬送用カート。
【請求項６】
前記仕切部材は、支持台上に３つ以上並設され、
前記ガイド部は、支持台上の両端側を除く、内側に配置される仕切部材の両側に形成したことを特徴とする請求項５に記載の薬品トレイ搬送用カート。
【請求項７】
前記仕切部材は、支持台上に３つ以上並設され、
前記ガイド部は、支持台上の両端側を除く、内側に配置される仕切部材の同一方向の片側のみに形成したことを特徴とする請求項５に記載の薬品トレイ搬送用カート。
【手続補正２】
【補正対象書類名】明細書
【補正対象項目名】０００６
【補正方法】変更
【補正の内容】
【０００６】
本発明は、前記課題を解決するための手段として、
移動可能な支持台上に、薬品トレイを上下方向に配置可能な複数の収納領域を備えた薬品トレイ搬送用カートであって、
前記各収納領域は、支持台上に所定間隔で配置した仕切部材の対向面にそれぞれ形成した支持部で薬品トレイを支持可能な構成とし、
前記薬品トレイを全て取り外した状態で、複数の薬品トレイ搬送用カートを並設した場合、前記仕切部材を、少なくとも隣接する薬品トレイ搬送用カートの支持台とは干渉しない位置に形成することにより、各薬品トレイ搬送用カートを重ね合わせて配列可能とし、
前記仕切部材は、収納領域に収納した薬品トレイをロックするロック機構を備え、
対向する仕切部材の少なくともいずれか一方に、最上段の収納領域に収納される薬品トレイの上方開口部を閉鎖可能な閉鎖位置と、複数の薬品トレイ搬送用カートを並設した場合、仕切部材と干渉しない位置に開放する待機位置との間で移動可能な蓋部材を設け、
前記蓋部材は、一端側を仕切部材の一方に回動可能に設けられ、他端側に係止部を備え、
前記仕切部材の残る他方は、蓋部材が閉鎖位置に位置することにより、係止部が係脱可能な係止受部を備え、
前記蓋部材を閉鎖位置に位置させた状態で、最上段の収納領域に薬品トレイを収納することにより、係止部と係止受部の係止状態を解除不能としたものである。
【手続補正３】
【補正対象書類名】明細書
【補正対象項目名】０００７
【補正方法】変更
【補正の内容】
【０００７】
この構成により、蓋部材を閉鎖位置に移動させた状態で、最上段から下方側の各段に薬品トレイを収納し、ロック機構により収納した各薬品トレイをロックすればよい。最上段に位置する薬品トレイは、閉鎖位置に位置する蓋部材によって上方開口部を閉鎖される。また、最上段よりも下方側に位置する薬品トレイは、その１つ上に位置する薬品トレイによって上方開口部を閉鎖される。これにより、薬品トレイ内に収容した薬品の盗難を防止することができる。また、蓋部材を、仕切部材に沿って下方に延びる待機位置に回動可能であるので、複数台の薬品トレイ搬送用カートを重ね合わせて配置する際に邪魔になることもない。そして、蓋部材を待機位置に回動させた状態では、薬品トレイを収納しようとしても、蓋部材によって阻止されるので、蓋部材が閉鎖位置にセットされていないことが分かる。また、蓋部材とロック機構を設けただけの構成であるので安価に製作することができる。さらに、係止部と係止受部とを係止状態とした後、最上段の収納領域に薬品トレイを収納すれば、係止位置が薬品トレイの内側に位置することになる。これにより、薬品トレイを取り出すことなく、係止状態を解除することを防止することが可能となる。
【手続補正４】
【補正対象書類名】明細書
【補正対象項目名】０００８
【補正方法】変更
【補正の内容】
【０００８】
前記待機位置は、前記蓋部材が仕切部材に沿って下方に延びる位置であるのが好ましい。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１５
【補正方法】変更
【補正の内容】
【００１５】
複数台の薬品トレイ搬送用カートを、各薬品トレイ搬送用カートの仕切部材が重なり合うように配置した際、ガイド部以外の部位が互いに接触することを防止するガイド部を備えるのが好ましい。
【国際調査報告】
2010104060.tif 000014
2010104060.tif 000015
2010104060.tif 000016
2010104060.tif 000017